(57)【要約】【課題】  人間の視覚を利用して量産性が高く低消費電力且つ、視認性の高いＬＥＤ表示器を提供する。【解決手段】  複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの中心付近における隣り合う青緑色発光ダイオード同士間のピッチ幅は前記複数の赤色発光ダイオードの中心付近における隣り合う赤色発光ダイオード同士間のピッチ幅よりも広いことを特徴とする信号灯。【選択図】  図１
2006221196.tif 000002
【特許請求の範囲】
【請求項１】
複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの中心付近における隣り合う青緑色発光ダイオード同士間のピッチ幅は前記複数の赤色発光ダイオードの中心付近における隣り合う赤色発光ダイオード同士間のピッチ幅よりも広いことを特徴とする信号灯。
【発明の詳細な説明】
【技術分野】
【０００１】
本願発明は発光ダイオードを用いたＬＥＤ表示器及びそれを用いた信号灯に係わり、特に視認性を向上させたＬＥＤ表示器に関する。
【背景技術】
【０００２】
近年、青緑色、黄色、赤色などを高輝度に発光可能な発光ダイオードが開発された。この発光ダイオードを用いて交通信号灯、鉄道信号灯や海上信号灯など種々のＬＥＤ表示器である信号灯に利用され始めている。特に、発光ダイオードは信頼性が高い。個々が点光源として機能する。また、発光ダイオードは半導体発光素子そのものから青緑色、黄色や赤色をそれぞれ発光する。このため従来の信号灯のごとき、光源全体として大きなリフレクターやカラーフィルターを持つ必要がない。電球を用いた信号灯に西日が照射された場合、信号灯に設けられた大きなリフレクターによって太陽光が反射し、反射光がカラーフィルターを透過する。これにより実際に点灯していないにもかかわらず、点灯しているように見える疑似点灯が生ずる。
【０００３】
しかし、発光ダイオードを用いた信号灯は、リフレクター及びカラーフィルターを用いることなく構成でき、疑似点灯を生じることも実質的にない。そのため、百数十から四百数十個の発光ダイオードを基板上などに配置させ、それぞれが点光源の集合として所望の形状に配置させた交通信号機等の信号灯が設置されつつある。
【０００４】
このような発光ダイオードを用いた信号灯の模式的断面図を図４に示す。図４には、所望の導電性パターンが形成された硝子エポキシ基板４０２上に２７５個の砲弾型発光ダイオード４０１を半田によって取り付けてある。発光ダイオード４０１は発光観測面側から見て同心円上に配置させ発光ダイオードを点灯させると、発光面が略円形状に見える。個々の発光ダイオード４０１は、リードフレーム上にＬＥＤチップが配置され電気的に接続されると共にレンズ形状をしたモールド樹脂で被覆されている。このような発光ダイオード４０１を複数配置された回路基板４０２と駆動基板４０５は、樹脂製の筐体４０３などにビス４０６等で固定配置される。また、筐体４０３の前方にはカラーフィルターを用いることなく硝子などからなるレンズ４０４が形成されている。さらに、この筐体４０３をアルミ製の灯箱４０７に密閉配置させることで交通信号機灯を構成することができる。駆動回路に電流を流すことによって、低消費電力、長寿命且つ疑似点灯がない交通信号灯を構成させることができる。
【発明の開示】
【発明が解決しようとする課題】
【０００５】
しかしながら、量産性やコストを低減させるために発光ダイオードの数を減らすことが考えられる。同様に、発光ダイオードの出力の向上に伴って発光ダイオードの数を減らすことが考えられる。他方、それぞれが点光源としての機能を持った発光ダイオードの数を減らすと、各独立した発光ダイオードの発光が目立ち、視認性が低下する傾向にある。このように信号灯などのＬＥＤ表示器においては発光ダイオードの数低減と視認性の向上とはトレードオフの関係にある。特に、モールドレンズを持った発光ダイオードは、個々の発光ダイオード自体の光が収束されるために顕著に現れる傾向にある。また、信号灯は前方の視野を確保し且つ、移動しながらも把握する必要性がある。この場合、発光ダイオードの点灯／非点灯だけでなく、点灯している形状をも把握することは視認性の向上に大きく寄与する。本発明は上記課題を解決し量産性が高く低消費電力且つ、視認性の高いＬＥＤ表示器や信号灯を提供することを目的とするものである。
【課題を解決するための手段】
【０００６】
ＬＥＤ表示器は、発光観測面側から見て、所望の形状が表示できるよう複数の発光ダイオード（１０１）を配置させたＬＥＤ表示器であって、所望形状の中心部及び／又は形状変化部において隣り合う発光ダイオードのピッチ幅Ａと、所望形状の外周部及び／又は形状変化部以外における隣り合う発光ダイオードのピッチ幅ＢとがＡ＜Ｂの関係である。これによって、低消費電力及び量産性を向上させつつ、視認性の優れたＬＥＤ表示器とすることができる。
【０００７】
信号灯は、発光観測面側から見て、略同心円形状に複数の発光ダイオードを配置すると共に、前記複数の発光ダイオードの実装密度は少なくとも略同心円形状の中心部がその外側にある外周部よりも高い信号灯である。これによって、低消費電力及び量産性を向上させつつ、視認性の優れた信号灯とすることができる。特に、中心の実装密度が高いことにより大きさが決められた信号灯においても、移動時の視認性を著しく向上させることができる。
【０００８】
信号灯は、発光観測面側から見て、矢印形状に複数の発光ダイオードを実装すると共に、前記複数の発光ダイオードの実装密度は矢印先端部がその周辺部よりも高い信号灯である。これによって、低消費電力及び量産性を向上させつつ、視認性の優れた信号灯とすることができる。特に、大きさが決められた信号灯においても、移動時の視認性を著しく向上させることができる。
【発明の効果】
【０００９】
本発明は、発光ダイオードを用いたＬＥＤ表示器において問題となる視認性を、人間の視覚を利用して向上させることができると共に、消費電力の低下、ＬＥＤ数の削減など種々の利点を挙げることができる。
【発明を実施するための最良の形態】
【００１０】
本発明者は種々実験の結果、ＬＥＤ表示器や信号灯における視認性及び量産性を発光ダイオードの特定の配置とすることにより、著しく改善できることを見出し、本発明を成すに至った。
【００１１】
即ち、視認者は信号等の表示を観測する場合において、識別する形状を見ようとする。そのため、略円形に発光する信号灯においてはその中心付近を、矢印信号灯や歩行者用信号灯などの場合においては、形状の変化部分を見ようとする傾向がある。特に、人間の目は視軸を離れるにしたがって、小さなものを認識しにくい傾向にある。
【００１２】
そのため、信号灯の発光ダイオードを略同心円上に均一配置させると中心部付近は発光ダイオード間の隙間が目立つと共に、暗く感じる。また、信号灯全体の見かけ上の大きさが小さく観測されると考えられる。また、等間隔に発光ダイオードを配置させた矢印信号灯等では小さく見えると共に視認性が低くなる傾向にある。さらに、同じ形状、同じ大きさであっても、その色彩が変わるだけで大きく見えたり、小さく見えたりすると考えられる。
【００１３】
そのため、本願発明は人間の視覚感覚を有効に利用して、量産性及び視認性を向上させたものである。より具体的には信号灯機の発光色に応じ、発光ダイオードのピッチ幅を変える。青緑色、黄色、赤色をそれぞれ使用する交通信号機灯の場合、青緑色は赤色よりも発光ダイオード間のピッチ幅を大きくとる。黄色は同時に使用される他の色の発光ダイオードの出力及び青緑色及び赤色との色の関係により、発光ダイオードの配置をそれぞれの間の間隔に配置させることが好ましい。
【００１４】
また、内側の円の明度が上がるにつれて見かけ上の大きさも増大し、逆に外側の明度が上がるにつれて見掛け上の大きさが減少する。そのため、発光ダイオードの数を減らしつつ、見かけ上の大きさを大きくさせるためには、内側の円の明度を上げる及び／又は、内側の実装密度（ピッチ幅）を上げる（狭くする）ことが好ましい。以下、本発明の具体的実施例について説明するがこれのみに限定されないのは言うまでもない。
【実施例】
【００１５】
（実施例１）
発光ダイオードを用いたＬＥＤ表示器として交通信号灯を制作する。図３にＬＥＤ表示器に利用される発光ダイオードの模式的断面図を示す。発光ダイオードは青緑色及び黄色を発光させるために窒化ガリウム系化合物半導体（ＩｎxＧａyＡｌ1-x-yＮ、０≦ｘ≦１、０≦ｙ≦１、０≦ｘ＋ｙ≦１）を用いたＬＥＤチップ３０１をリードフレーム３０３の先端にエポキシ樹脂からなるダイボンド樹脂でダイボンドしてある。一対のリードフレーム３０３、３０４と、ＬＥＤチップ３０１の各電極とを金線３０２などによって電気的に接続させてある。発光素子であるＬＥＤチップ３０１や金線３０２等を保護するために、透光性樹脂３０５としてエポキシ樹脂で被覆してある。透光性樹脂３０５はＬＥＤチップ３０１からの光を集光するために、凸レンズ形状など好適な形状に形成させてある。なお、赤色が発光可能な発光ダイオードはＡｌＩｎＧａＰからなるＬＥＤチップを用いて同様に利用することができる。
【００１６】
この発光ダイオードを各色毎に直並列に接続させる。図４に示された信号灯と同様に発光ダイオード４０１は所望の導電性パターンが形成された硝子エポキシ基板４０２上に配置させる。各発光ダイオードは発光観測面側から見て、略同心円上に配置させてある。この時、本発明の信号灯は図１の如く発光観測面側から見て中心付近の青緑色発光ダイオードの実装密度（ピッチ幅Ａ）を、その外側の青緑色発光ダイオードの実装密度（ピッチ幅Ｂ）より高く（狭く）配置させてある。
【００１７】
硝子エポキシ基板４０２上の導電性パターンと発光ダイオード４０１のリードフレームとを半田で固定すると共に電気的導通を取ってある。次に、車両用交通信号機の灯箱４０７の大きさに合わせてクリアレンズ４０４及びパッケージの裏面であるバックケース４０３を構成させる。パッケージ内には、発光ダイオード４０１を配置させた基板４０２と駆動基板４０５とを電気的に接続させ配置してある。こうして形成されたＬＥＤ表示器とパッキンを通して電力コードを電気的に接続させた後、ＬＥＤ表示ユニットのバックケースとＬＥＤ表示器とをネジ４０６によって固定させた。また、パッケージとクリアレンズとをゴムパッキンによって固定させる。
【００１８】
次に、青緑色発光ダイオードに用いたものと同じ大きさの基板を用い、黄色発光ダイオードを実装させる。黄色発光ダイオードは発光観測面側から見て略同心円上の中心付近における実装密度（ピッチ幅）を、その外側の黄色発光ダイオードの実装密度（ピッチ幅）より高く（狭く）配置させてある。また、青緑色発光ダイオードに用いたものと同じ大きさの基板を用い、赤色発光ダイオードを実装させる。赤色発光ダイオードは発光観測面側から見て略同心円上の中心付近における実装密度（ピッチ幅）を、その外側の赤色発光ダイオードの実装密度（ピッチ幅）より高く（狭く）配置させてある。また、青緑色発光ダイオードの実装密度（ピッチ幅）は赤色発光ダイオードの実装密度（ピッチ幅）よりも低く（広く）取ってある。黄色発光ダイオードの実装密度（ピッチ幅）は青緑色発光ダイオードと赤色発光ダイオードの略中間で形成させてある。それ以外は青緑色発光ダイオードと同様に各色のＬＥＤ表示器を構成し、それぞれ形成されたＬＥＤ表示ユニット自体をネジによってそれぞれ同じ灯箱に固定させ交通信号機等を構成できる。
【００１９】
これにより、視認性を確保しつつＬＥＤ数の削減を行い低消費電力のユニットを作製することができる。なお、本願発明の発光ダイオードを砲弾型発光ダイオードとして利用したが、レンズを持たないＳＭＤ型の発光ダイオードを利用できることは言うまでもない。
（実施例２）
次に、矢印信号に用いられる本発明のＬＥＤ表示器について説明する。本発明の矢印信号は、発光ダイオード１０１を同心円上に形成させたものから図２に示す如く、発光観測面側から見て矢印形にそれぞれ配置させた以外は実施例１で用いたＬＥＤ表示ユニットと同様に形成させてある。本発明の矢印信号は特に、人間が注意して視認させるポイントにおいて発光ダイオードの実装密度（ピッチ幅）を高く（狭く）するために、矢印形状に配置させた複数の発光ダイオードの実装密度（ピッチ幅）が矢印先端部でその周辺部よりも高く（狭く）配置させてある。
【００２０】
具体的には、図２に示すように各発光ダイオード２０１の実装密度（ピッチ幅）として発光ダイオード間のピッチ幅をＡ、Ｂ、Ｃ、Ｄで規定してある。ピッチ幅はそれぞれＡ＜Ｂ、Ａ＜Ｃ、Ａ＜Ｄ、Ｃ＜Ｄの関係を満たす。具体的には、ピッチ幅Ａを１５．５５ｃｍ、同Ｂを１６．４５ｃｍ、同Ｃを１７．６５ｃｍ、同Ｄを１８．６ｃｍとしてある。なお、ピッチ幅Ａとピッチ幅Ｂとの間のピッチ幅は表示面の中心部であるＡから表示面の外周部であるＢに向かうにつれ徐々に広くしてある。また、ピッチ幅Ｃとピッチ幅Ｄとの間のピッチ幅は形状変化部であるＣからそれ以外のＤに向かうにつれ徐々に広くしてある。この関係は例えば、定数ａ、ｂ、ｃ…ｘで表され、ＡとＢとの間は、順番に、Ａ、Ａ＋ａ、Ａ＋ａ＋ｂ、Ａ＋ａ＋ｂ＋ｃ…Ｂの順に実装密度（ピッチ幅）を高く（広く）させてある。さらに、表示面のより中心部に近いピッチ幅Ａは外周部であるピッチ幅Ｃ及びＤに比べて狭く形成させてある。これにより、矢印信号の外形を大きく見せることができる。また、視認性を向上させると共にＬＥＤ数の削減を行い低消費電力のユニットを作製することができる。
【産業上の利用可能性】
【００２１】
本発明の発光装置は、発光ダイオードを用いたＬＥＤ表示器や信号灯等に利用することができる。
【図面の簡単な説明】
【００２２】
【図１】本発明のＬＥＤ表示器に用いられる発光ダイオードの配置を示す模式的平面図である。
【図２】本発明の他のＬＥＤ表示器に用いられる発光ダイオードの配置を示す模式的平面図である。
【図３】発光ダイオードの模式的断面図である。
【図４】交通信号機灯の模式的断面図である。
【符号の説明】
【００２３】
１０１、２０１、４０１…発光ダイオード
３０１…ＬＥＤチップ
３０２…導電性ワイヤー
３０３、３０４…リードフレーム
３０５…透光性樹脂
４０２…硝子エポキシ基板
４０３…筐体
４０４…レンズ
４０５…駆動基板
４０６…ビス
４０７…灯箱
【図１】
2006221196.tif 000003
【図２】
2006221196.tif 000004
【図３】
2006221196.tif 000005
【図４】
2006221196.tif 000006
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの中心付近における隣り合う青緑色発光ダイオード同士間のピッチ幅は前記複数の赤色発光ダイオードの中心付近における隣り合う赤色発光ダイオード同士間のピッチ幅よりも広いことを特徴とする信号灯。
【請求項２】
前記信号灯は、さらに、複数の黄色発光ダイオードを有し、前記複数の黄色発光ダイオードの中心付近における隣り合う黄色発光ダイオード同士間のピッチ幅は、前記複数の青緑色発光ダイオードの中心付近における隣り合う青緑色発光ダイオード同士間のピッチ幅と、前記複数の赤色発光ダイオードの中心付近における隣り合う赤色発光ダイオード同士間のピッチ幅と、の間のピッチ幅であることを特徴とする請求項１に記載の信号灯。
【請求項３】
複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの中心付近の実装密度は前記青緑色発光ダイオードの中心部付近の実装密度より高いことを特徴とする信号灯。
【請求項４】
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記黄色発光ダイオードの中心部付近の実装密度は前記青緑色発光ダイオードの中心部付近の実装密度と前記赤色発光ダイオードの中心部付近の実装密度との略中間であることを特徴とする請求項３に記載の信号灯。
【請求項５】
複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの外周部付近における隣り合う青緑色発光ダイオード同士間のピッチ幅は前記複数の赤色発光ダイオードの外周部付近における隣り合う赤色発光ダイオード同士間のピッチ幅よりも広いことを特徴とする信号灯。
【請求項６】
前記信号灯は、さらに、複数の黄色発光ダイオードを有し、前記複数の黄色発光ダイオードの外周部付近における隣り合う黄色発光ダイオード同士間のピッチ幅は、前記複数の青緑色発光ダイオードの外周部付近における隣り合う青緑色発光ダイオード同士間のピッチ幅と、前記複数の赤色発光ダイオードの外周部付近における隣り合う赤色発光ダイオード同士間のピッチ幅と、の間のピッチ幅であることを特徴とする請求項５に記載の信号灯。
【請求項７】
複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの外周部付近の実装密度は前記青緑色発光ダイオードの外周部付近の実装密度より高いことを特徴とする信号灯。
【請求項８】
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記黄色発光ダイオードの外周部付近の実装密度は前記青緑色発光ダイオードの外周部付近の実装密度と前記赤色発光ダイオードの外周部付近の実装密度との略中間であることを特徴とする請求項７に記載の信号灯。
【請求項９】
複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの第一の部位の実装密度はほぼ同じ位置に相当する前記青緑色発光ダイオードの第一の部位の実装密度より高いことを特徴とする信号灯。
【請求項１０】
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記赤色発光ダイオードの第一の部位に相当する前記黄色発光ダイオードの第一の部位の実装密度は前記青緑色発光ダイオードの第一の部位の実装密度と前記赤色発光ダイオードの第一の部位の実装密度との略中間であることを特徴とする請求項９に記載の信号灯。
【請求項１１】
複数の青緑色発光ダイオードを有するＬＥＤ表示器と、複数の赤色発光ダイオードを有するＬＥＤ表示器と、を持つ信号灯において、前記複数の青緑色発光ダイオードの実装密度は、前記複数の赤色発光ダイオードの実装密度より低いことを特徴とする信号灯。
【請求項１２】
前記信号灯は、さらに、複数の黄色発光ダイオードを有するＬＥＤ表示器を持ち、前記複数の黄色発光ダイオードの実装密度は、前記複数の青緑色発光ダイオードの実装密度と、前記赤色発光ダイオードの実装密度と、の略中間であることを特徴とする請求項１１に記載の信号灯。
【手続補正２】
【補正対象書類名】明細書
【補正対象項目名】０００６
【補正方法】変更
【補正の内容】
【０００６】
本発明は、複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの中心付近における隣り合う青緑色発光ダイオード同士間のピッチ幅は前記複数の赤色発光ダイオードの中心付近における隣り合う赤色発光ダイオード同士間のピッチ幅よりも広い信号灯に関する。
前記信号灯は、さらに、複数の黄色発光ダイオードを有し、前記複数の黄色発光ダイオードの中心付近における隣り合う黄色発光ダイオード同士間のピッチ幅は、前記複数の青緑色発光ダイオードの中心付近における隣り合う青緑色発光ダイオード同士間のピッチ幅と、前記複数の赤色発光ダイオードの中心付近における隣り合う赤色発光ダイオード同士間のピッチ幅と、の間のピッチ幅である。
本発明は、複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの中心付近の実装密度は前記青緑色発光ダイオードの中心部付近の実装密度より高い信号灯に関する。
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記黄色発光ダイオードの中心部付近の実装密度は前記青緑色発光ダイオードの中心部付近の実装密度と前記赤色発光ダイオードの中心部付近の実装密度との略中間である。
本発明は、複数の青緑色発光ダイオードと複数の赤色発光ダイオードとを少なくとも有するＬＥＤ表示器を持つ信号灯において、前記複数の青緑色発光ダイオード及び／または前記複数の赤色発光ダイオードの実装密度は少なくとも前記ＬＥＤ表示器の中心部がその外側にある外周部よりも高く、前記複数の青緑色発光ダイオードの外周部付近における隣り合う青緑色発光ダイオード同士間のピッチ幅は前記複数の赤色発光ダイオードの外周部付近における隣り合う赤色発光ダイオード同士間のピッチ幅よりも広い信号灯に関する。
前記信号灯は、さらに、複数の黄色発光ダイオードを有し、前記複数の黄色発光ダイオードの外周部付近における隣り合う黄色発光ダイオード同士間のピッチ幅は、前記複数の青緑色発光ダイオードの外周部付近における隣り合う青緑色発光ダイオード同士間のピッチ幅と、前記複数の赤色発光ダイオードの外周部付近における隣り合う赤色発光ダイオード同士間のピッチ幅と、の間のピッチ幅である。
本発明は、複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの外周部付近の実装密度は前記青緑色発光ダイオードの外周部付近の実装密度より高い信号灯に関する。
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記黄色発光ダイオードの外周部付近の実装密度は前記青緑色発光ダイオードの外周部付近の実装密度と前記赤色発光ダイオードの外周部付近の実装密度との略中間である。
本発明は、複数の青緑色発光ダイオードが実装された基板と、複数の赤色発光ダイオードが実装された基板と、を少なくとも有するＬＥＤ表示器を持つ信号灯において、前記青緑色発光ダイオードが実装されている基板と前記赤色発光ダイオードが実装されている基板とは、ほぼ同じ大きさであり、前記赤色発光ダイオードの第一の部位の実装密度はほぼ同じ位置に相当する前記青緑色発光ダイオードの第一の部位の実装密度より高い。
前記信号灯は、さらに、複数の黄色発光ダイオードが実装された基板を有し、前記黄色発光ダイオードが実装されている基板と前記青緑色発光ダイオードが実装されている基板とは、ほぼ同じ大きさであり、前記赤色発光ダイオードの第一の部位に相当する前記黄色発光ダイオードの第一の部位の実装密度は前記青緑色発光ダイオードの第一の部位の実装密度と前記赤色発光ダイオードの第一の部位の実装密度との略中間である。
本発明は、複数の青緑色発光ダイオードを有するＬＥＤ表示器と、複数の赤色発光ダイオードを有するＬＥＤ表示器と、を持つ信号灯において、前記複数の青緑色発光ダイオードの実装密度は、前記複数の赤色発光ダイオードの実装密度より低い信号灯に関する。
前記信号灯は、さらに、複数の黄色発光ダイオードを有するＬＥＤ表示器を持ち、前記複数の黄色発光ダイオードの実装密度は、前記複数の青緑色発光ダイオードの実装密度と、前記赤色発光ダイオードの実装密度と、の略中間である。
ＬＥＤ表示器は、発光観測面側から見て、所望の形状が表示できるよう複数の発光ダイオード（１０１）を配置させたＬＥＤ表示器であって、所望形状の中心部及び／又は形状変化部において隣り合う発光ダイオードのピッチ幅Ａと、所望形状の外周部及び／又は形状変化部以外における隣り合う発光ダイオードのピッチ幅ＢとがＡ＜Ｂの関係である。これによって、低消費電力及び量産性を向上させつつ、視認性の優れたＬＥＤ表示器とすることができる。